【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
印刷ヘッドとプラテンとの間のギャップを調整するプラテンギャップ調整装置であって、
前記印刷ヘッドを搭載したキャリッジを摺動自在に支持するガイド軸の少なくとも一方側において当該ガイド軸と嵌合する軸穴に対し偏心した第１の取付軸と、位置決め用の第１の取付係合部と、前記ガイド軸の軸方向の移動を係止する軸係止部とを有する第１の取付部材と、
前記第１の取付軸と嵌合する取付穴と、前記第１の取付係合部と係合可能な複数の第１のフレーム係合部とを有するフレームと、
前記第１の取付係合部と前記第１のフレーム係合部とを、互いに係合する方向に付勢する付勢部材と、
を備えたことを特徴とする、プラテンギャップ調整装置。
【請求項２】
請求項１に記載のプラテンギャップ調整装置において、
前記ガイド軸の他方側において前記ガイド軸と嵌合する軸穴に対し偏心した第２の取付軸と、位置決め用の第２の取付係合部とを有する第２の取付部材と、
前記第２の取付軸と嵌合する取付穴と、前記第２の取付係合部と係合可能な複数の第２のフレーム係合部とを有するフレームと、
前記第２の取付係合部と前記第２のフレーム係合部とを、互いに係合する方向に付勢する付勢部材と、
を備えたことを特徴とする、プラテンギャップ調整装置。
【請求項３】
請求項２に記載のプラテンギャップ調整装置であって、
前記第１の取付部材は、前記第１の取付軸から突出し、先端に前記第１の取付係合部を形成した複数の第１の係合部アームを有し、
前記第２の取付部材は、前記第２の取付軸から突出し、先端に前記第２の取付係合部を形成した複数の第２の係合部アームを有し、
前記フレームは、前記第１の取付係合部と係合可能な複数の第３のフレーム係合部と、前記第２の取付係合部と係合可能な複数の第４のフレーム係合部とをさらに有し、
いずれかの前記第１の係合部アームに形成された前記第１の取付係合部が前記第３のフレーム係合部に係合した状態においては、他の前記第１の係合部アームに形成された前記第１の取付係合部が、前記第３のフレーム係合部と係合しない位置になるように前記第３のフレーム係合部が形成され、
いずれかの前記第２の係合部アームに形成された前記第２の取付係合部が前記第４のフレーム係合部に係合した状態においては、他の前記第２の係合部アームに形成された前記第２の取付係合部が、前記第４のフレーム係合部と係合しない位置になるように前記第４のフレーム係合部が形成されることを特徴とする、プラテンギャップ調整装置。
【請求項４】
請求項３に記載のプラテンギャップ調整装置であって、
いずれかの前記第１の係合部アームに形成された前記第１の取付係合部が前記第１のフレーム係合部と係合していない状態においては、他のいずれかの前記第１の係合部アームに形成された前記第１の取付係合部が前記第３のフレーム係合部に係合し、
いずれかの前記第１の係合部アームに形成された前記第１の取付係合部が前記第１のフレーム係合部に係合した状態においては、他のいずれかの前記第１の係合部アームに形成された前記第１の取付係合部が前記第３のフレーム係合部と係合しないことを特徴とする、プラテンギャップ調整装置。
【請求項５】
請求項３または４に記載のプラテンギャップ調整装置であって、
いずれかの前記第２の係合部アームに形成された前記第２の取付係合部が前記第２のフレーム係合部と係合していない状態においては、他のいずれかの前記第２の係合部アームに形成された前記第２の取付係合部が前記第４のフレーム係合部に係合し、
いずれかの前記第２の係合部アームに形成された前記第２の取付係合部が前記第２のフレーム係合部に係合した状態においては、他のいずれかの前記第２の係合部アームに形成された前記第２の取付係合部が前記第４のフレーム係合部と係合しないことを特徴とする、プラテンギャップ調整装置。
【請求項６】
請求項２ないし５のいずれかに記載のプラテンギャップ調整装置であって、
複数の前記第１の係合部アームの少なくとも一つは、他の前記第１の係合部アームと長さが異なり、
複数の前記第２の係合部アームの少なくとも一つは、他の前記第２の係合部アームと長さが異なることを特徴とする、プラテンギャップ調整装置。
【請求項７】
請求項１ないし６のいずれかに記載のプラテンギャップ調整装置において、
前記付勢部材はコイルバネであることを特徴とする、プラテンギャップ調整装置。
【請求項８】
請求項１ないし７のいずれか１項に記載のプラテンギャップ調整装置を備えたことを特徴とする印刷装置。
【請求項９】
印刷媒体に記録された情報を読取る読取装置と、請求項８に記載のプラテンギャップ調整装置とを備えたことを特徴とする複合処理装置。
【手続補正２】
【補正対象書類名】明細書
【補正対象項目名】０００８
【補正方法】変更
【補正の内容】
【０００８】
本発明によるプラテンギャップ調整装置は、印刷ヘッドをプラテンに対向させ、印刷ヘッドとプラテンとの間の印刷媒体に印刷を行う印刷装置のプラテンギャップ調整装置であって、印刷ヘッドを搭載したキャリッジの軸受穴と係合し、キャリッジを摺動自在に支持するガイド軸の少なくとも一方において当該ガイド軸と嵌合する軸穴に対し偏心した第１の取付軸と、位置決め用の第１の取付係合部とを有する第１の取付部材と、第１の取付軸が取付穴に嵌合した状態で第１の取付係合部と対向する位置に形成され、第１の取付係合部と係合可能な複数の第１のフレーム係合部と、前記ガイド軸の軸方向の移動を係止する軸係止部とを有し、ガイド軸を、ガイド軸の一方の端に嵌合した第１の取付部材を介して支持するフレームと、第１の取付部材に形成された第１の取付係合部と、フレームに形成された第１のフレーム係合部と、が互いに係合する方向に、勘合した状態のガイド軸と第１の取付部材とを、付勢する付勢部材と、を備えたことを特徴とする。さらに、前記ガイド軸の他方側において前記ガイド軸と嵌合する軸穴に対し偏心した第２の取付軸と、位置決め用の第２の取付係合部とを有する第２の取付部材と、第２の取付軸と嵌合する取付穴と、第２の取付軸が取付穴に嵌合した状態で第２の取付係合部と対向する位置に形成され、第２の取付係合部と係合可能な複数の第２のフレーム係合部とを有し、ガイド軸を、ガイド軸の他方の端に嵌合した第２の取付部材を介して支持するフレームと、第２の取付部材に形成された第２の取付係合部と、フレームに形成された第２のフレーム係合部と、が互いに係合する方向に、勘合した状態のガイド軸と第１の取付部材とを、付勢する付勢部材と、を備えたことを特徴とする。
【手続補正３】
【補正対象書類名】明細書
【補正対象項目名】００１０
【補正方法】変更
【補正の内容】
【００１０】
この場合、プラテンギャップ調整装置において、第１の取付部材は、第１の取付軸から突出し、先端に第１の取付係合部を形成した複数の第１の係合部アームを有し、第２の取付部材は、第２の取付軸から突出し、先端に第２の取付係合部を形成した複数の第２の係合部アームを有し、フレームは、複数の第１の係合部アームに形成された第１の取付係合部とそれぞれ係合可能な位置に形成された複数の第３のフレーム係合部と、複数の第２の係合部アームに形成された第２の取付係合部とそれぞれ係合可能な位置に形成された複数の第４のフレーム係合部を有し、複数の第１の係合部アームのいずれか一つに形成された第１の取付係合部が第３のフレーム係合部のひとつと係合した状態においては、他の第１の係合部アームに形成された第１の取付係合部の少なくともひとつは、第３のフレーム係合部と係合しない位置になるように、第３のフレーム係合部を形成し、複数の第２の係合部アームのいずれか一つに形成された第２の取付係合部が第４のフレーム係合部のひとつと係合した状態においては、他の第２の係合部アームに形成された第２の取付係合部の少なくともひとつは、第４のフレーム係合部と係合しない位置になるように、第４のフレーム係合部を形成したことが好ましい。
また、いずれかの前記第１の係合部アームに形成された前記第１の取付係合部が前記第１のフレーム係合部と係合していない状態においては、他のいずれかの前記第１の係合部アームに形成された前記第１の取付係合部が前記第３のフレーム係合部に係合し、いずれかの前記第１の係合部アームに形成された前記第１の取付係合部が前記第１のフレーム係合部に係合した状態においては、他のいずれかの前記第１の係合部アームに形成された前記第１の取付係合部が前記第３のフレーム係合部と係合しないことが好ましい。
また、いずれかの前記第２の係合部アームに形成された前記第２の取付係合部が前記第２のフレーム係合部と係合していない状態においては、他のいずれかの前記第２の係合部アームに形成された前記第２の取付係合部が前記第４のフレーム係合部に係合し、いずれかの前記第２の係合部アームに形成された前記第２の取付係合部が前記第２のフレーム係合部に係合した状態においては、他のいずれかの前記第２の係合部アームに形成された前記第２の取付係合部が前記第４のフレーム係合部と係合しないことが好ましい。
【手続補正４】
【補正対象書類名】明細書
【補正対象項目名】００１６
【補正方法】変更
【補正の内容】
【００１６】
本発明による印刷装置は、上記に記載のプラテンギャップ調整装置を備えたことを特徴とする。
【手続補正５】
【補正対象書類名】明細書
【補正対象項目名】００１８
【補正方法】変更
【補正の内容】
【００１８】
本発明による複合処理装置は、印刷媒体に記録された情報を読取る読取装置と、上記に記載の印刷装置を備えたことを特徴とする。